(57)【要約】【課題】容量を変更する部材が常に玉箱本体と一体的とできる玉箱を提供する。【解決手段】上方を開放する箱状に形成され、底部の中央部に中央開口２ａを形成して周縁部２ｂを残した状態の基体２と、この基体２の周縁部２ｂの支持部２ｃに載置される載置部３ａの内側に下方に窪む窪み部３ｂが形成された底板部材３と、を有する構成の玉箱１とし、底板部材３の上下を裏返して載置部３ａを支持部２ｂに載せることにより、載置部３ａの内側の窪み部３ｂが下方に窪んだ第１状態と、窪み部３ｂが上方に隆起した第２状態とに変換可能であり、これによって底板部材３（容量を変更する部材）を常に一体的としつつ容量可変とする。【選択図】図２
2010142329.tif 000002
【特許請求の範囲】
【請求項１】
上方を開放する箱状に形成され、底部の中央部を開口して周縁部を残した状態の基体と、
前記周縁部の支持部に載置される載置部の内側に下方に窪む窪み部が形成された底板部材と、を有し、
前記底板部材の上下を裏返して載置部を支持部に載せることにより、載置部の内側の前記窪み部が下方に窪んだ第１状態と、前記窪み部が上方に隆起した第２状態とに変換可能であることを特徴とする玉箱。
【請求項２】
前記周縁部における支持部の外側には、遊技球の下部を前記基体の下方に臨ませる得る開口を形成することにより収容した遊技球に帯電する電荷を放出する第１の放電部と、該第１の放電部に遊技球を誘導する誘導樋と、を設けたことを特徴とする請求項１に記載の玉箱。
【請求項３】
前記窪み部は、当該玉箱の概略容量を明示する明示部を設け、
該明示部は、底板部材が前記載置部の内側を下方に窪ませている状態において遊技球の下部を窪み部の下方に臨ませる得る開口を形成することにより収容した遊技球に帯電する電荷を放出する第２の放電部を含むことを特徴とする請求項１または２に記載の玉箱。
【発明の詳細な説明】
【技術分野】
【０００１】
本発明は、パチンコ機などの遊技機に使用される玉箱に関する。
【背景技術】
【０００２】
従来の玉箱は、遊技機としてのパチンコ機が設置される島設備の膳板上に載置され、パチンコ機から排出される景品球（入賞に対して排出される遊技球）を受け入れる機能を成す。その中で、下記特許文献１には、パチンコ機の機種変更に伴って玉箱の容量を変えることを目的として容量変更部材を着脱自在とすることが開示されている。
【０００３】
【特許文献１】特開２０００−１２６４４０号公報
【発明の開示】
【発明が解決しようとする課題】
【０００４】
上記従来の玉箱は、容量変更部材を取り外した場合に別途保管しなくてはならず、遊技店に対して管理上の負担を掛ける虞がある。
そこで本発明は、容量を変更する部材が常に玉箱本体と一体的とできる玉箱を提供することを目的とする。
【課題を解決するための手段】
【０００５】
本願請求項１に記載の玉箱は、上方を開放する箱状に形成され、底部の中央部を開口して周縁部を残した状態の基体と、
前記周縁部の支持部に載置される載置部の内側に下方に窪む窪み部が形成された底板部材と、を有し、
前記底板部材の上下を裏返して載置部を支持部に載せることにより、載置部の内側の前記窪み部が下方に窪んだ第１状態と、前記窪み部が上方に隆起した第２状態とに変換可能であることを特徴とする。
【０００６】
なお、本発明の好ましい態様として、例えば請求項２に記載のように、前記周縁部における支持部の外側には、遊技球の下部を前記基体の下方に臨ませる得る開口を形成することにより収容した遊技球に帯電する電荷を放出する第１の放電部と、該第１の放電部に遊技球を誘導する誘導樋と、を設けた構成としてもよい。
【０００７】
また、例えば請求項３に記載のように、前記窪み部は、当該玉箱の概略容量を明示する明示部を設け、
該明示部は、底板部材が前記載置部の内側を下方に窪ませている状態において遊技球の下部を窪み部の下方に臨ませる得る開口を形成することにより収容した遊技球に帯電する電荷を放出する第２の放電部を含む構成としてもよい。
【発明の効果】
【０００８】
請求項１に記載の玉箱によれば、底板部材が、載置部の内側を下方に窪ませている第１状態と、載置部の内側を上方に隆起させる第２状態と、に変換されて容量が変更できるので、玉箱の容量を変え得る部材（底板部材）を玉箱本体（基体）から取り外すことなく常に一体状態とできる。
【０００９】
また、請求項２に記載の玉箱によれば、放電部に遊技球を誘導する誘導樋を設け、また、一般的に島設備の膳板はステンレス鋼板で被覆されているので、遊技球に帯電する電荷を確実に放出できる。
また、請求項３に記載の玉箱によれば、容量の明示部と放電部とが兼用でき金型製作が簡素になる。
【発明を実施するための最良の形態】
【００１０】
以下、本発明の実施の形態例を、図面を参照して説明する。
（第１形態例）
まず、図１〜図６により第１形態例を説明する。図１は本例の玉箱１の斜視図、図２は玉箱１の分解斜視図、図３は玉箱１の容量変更を説明する分解斜視図、図４は玉箱１の容量変更後の状態（後述する第２状態）を示す斜視図、図５（ａ）は玉箱１の平面図、図５（ｂ）は玉箱１の断面図（図５（ａ）のＸ−Ｘ断面図）、図６（ａ）は容量変更後の玉箱１の平面図、図６（ｂ）は容量変更後の玉箱１の断面図（図６（ａ）のＹ−Ｙ断面図）である。図５（ｂ）及び図６（ｂ）では、断面のみを示している。
なお以下では、図５（ａ）や図６（ａ）の紙面における左方を左方とし、同紙面における右方を右方とし、同紙面における上方を前方とし、同紙面における下方を後方とし、同紙面に直交する方向を上下方向とする。
【００１１】
玉箱１は、図２に示すように、上方を開放する箱状に形成され、底部の中央部に中央開口２ａを形成して周縁部を残した状態の基体２と、この基体２の周縁部２ｂの支持部２ｃに載置される載置部３ａの内側に下方に窪む窪み部３ｂが形成された底板部材３と、底板部材３を基体２に止めるための止着部材４と、を有し、図３及び図４に示す如く底板部材３の上下を裏返して載置部３ａを支持部２ｃに載せることにより、載置部３ａの内側が上方に隆起した状態となることで容量を変更できる。
即ち玉箱１は、図１に示すように窪み部３ｂ（載置部３ａの内側）が下方に窪んだ状態で底板部材３が基体２に取り付けられた第１状態（容量が比較的多い状態）と、図４に示すように窪み部３ｂが上方に隆起した状態で底板部材３が基体２に取り付けられた第２状態（容量が比較的少ない状態）と、に変更可能である。しかもこの第１状態から第２状態への容量変更、或いは第２状態から第１状態への容量変更は、底板部材３の取付姿勢を単に裏返すことによって、可能である。なお本例の場合、第１状態での玉箱１は約２０００個の遊技球が収納できる容量であり、第２状態での玉箱１は約１６００個の遊技球が収納できる容量である。
【００１２】
ここで止着部材４は、図２等に示すように、頭部４ａと、頭部４ａより同軸上に延びる軸部４ｂとよりなる。軸部４ｂは、先端が拡径して先端に拡径部４ｃが形成され、中央軸線上に先端から切り込みが入っていて先端側が二つに割れた構造となっている。頭部４ａは、円盤状で、軸部４ｂ（先端の拡径部を除く）よりも大径である。この止着部材４は、軸部４ｂの二つに割れた部分が内側に弾力的に撓むことで、自然状態にある先端の拡径部４ｃよりも小さい内径の所定の止着穴（頭部４ａよりも小径の穴）に軸部４ｂを挿入可能であり、挿入後には拡径部４ｃが前記止着穴の裏側周囲に係合して抜けなくなる部材である（後述の図８（ｂ）参照）。但し、例えば止着穴の裏側から軸部４ｂの先端の拡径部４ｃを指で挟むように内側に押しながら挿入時と反対方向に押せば、拡径部４ｃの係合を解除して容易に取り外すことができる。
【００１３】
次に基体２は、図２及び図５（ａ）に示すように、上面から見て基本的に左右方向に長い長方形状のものであり、短辺側の両側面（即ち左右両側面）の前後中央位置には、人が玉箱１を持つための取手２ｃが左右外側に突出するように設けられている。また基体２の底面の中央開口２ａは、基体２の長方形状の底面に対して概略相似形になるように形成され、前述の周縁部２ｂは、基体２の底面における中央開口２ａを除く部分であり、中央開口２ａの周囲を囲むように形成されている。なお前述の支持部２ｃは、周縁部２ｂのうち、底板部材３の載置部３ａが載置される部分である。
そして、この支持部２ｂにおける左右両辺部（短辺部）の中央には、止着部材４の軸部４ｂを挿入して係合させるための止着穴２ｄが形成されている。
また、基体２の周縁部２ｂにおける左右両辺部の一方の端であって、支持部２ｃの外側の位置には、第１の放電部５が設けられている。第１の放電部５は、遊技球が１個以上落ち込むことが可能なように下方に窪んだ凹部５ａと、この凹部５ａの底面に形成され上下に貫通する開口５ｂとよりなる。開口５ｂは、凹部５ａに落ち込んだ遊技球の下部を基体２の下方に臨ませ得るものである。この構成によって第１の放電部５は、凹部５ａに落ち込んだ遊技球の下部を島設備の膳板（通常ステンレス鋼板で被覆されている）等の導電体に接触させることによって、玉箱１内に収容した遊技球に帯電する電荷（静電気）を放出する機能を発揮する。なお第１の放電部５は、図５（ａ）に示すように、基体２の底面における対角線上の二つの隅に合計２個設けられている。
【００１４】
次に底板部材３は、図２及び図５（ａ）に示すように、上面から見て基本的に左右方向に長い長方形板状のものであり、短辺側の両端（即ち左右両端）の前後中央位置には、止着用の突片３ｃが左右外側に突出するように形成されている。この突片３ｃには、止着部材４の軸部４ｂが貫通可能な貫通孔３ｄ（止着部材４の頭部４ａよりも小径なもの）が形成されている。
この底板部材３全体（突片３ｃを除く）の前後左右の大きさは、基体２の底面よりも小さく、基体２の中央開口２ａよりも大きく設定されている。また、この底板部材３の周縁部として形成された前述の載置部３ａは、既述したように、基体２の支持部２ｃの上に載置可能である。また、この底板部材３の載置部３ａの内側に形成された窪み部３ｂは、上面から見て基体２の中央開口２ａに対応した長方形状のものであり、前記中央開口２ａ内にはまり込むことが可能な大きさ（即ち前後左右の外径が中央開口２ａよりも小さい寸法）とされている。
【００１５】
そして図２に示すように、底板部材３の窪み部３ｂの底面における左前側の隅には、当該玉箱１の前記第１状態での概略容量を明示する明示部６が設けられている。また図３に示すように、底板部材３の窪み部３ｂの裏面における左後側の隅には、当該玉箱１の前記第２状態での概略容量を明示する明示部７が設けられている。
明示部６は、「２０００」の「２」の文字がインクの塗布或いは文字形部材の貼り付け等によって形成された１個の文字部６ａと、「２０００」の「０」の文字を表す３個の開口６ｂと、が並んで設けられてなる。ここで、明示部６の開口６ｂは、底板部材３が窪み部３ｂを下方に窪ませている状態（即ち前記第１状態）において遊技球の下部を窪み部３ｂの下方に臨ませる得る開口であり、玉箱１に収容した遊技球に帯電する電荷を放出する第２の放電部を構成する。
明示部７は、「１６００」の「１」の文字がインクの塗布或いは文字形部材の貼り付け等によって形成された１個の文字部７ａと、「１６００」の「６」の文字が同様に形成された１個の文字部７ｂと、「１６００」の「０」の文字が同様に形成された２個の文字部７ｃと、が並んで設けられてなる。
【００１６】
以上の構成の玉箱１は、次のように容易に組立可能であり、また容易に容量変更が可能である。
即ち、図１及び図２に示すように、窪み部３ｂを下方に窪ませた状態（明示部６が形成された窪み部３ｂの底面が上面側から見える状態）で底板部材３を基体２の底面に配置し、窪み部３ｂを中央開口２ａ内にはめ込み、載置部３ａを支持部２ｃの上に載置し、止着穴２ｄと貫通孔３ｄの位置を同軸上に合わせる。その後、止着部材４の軸部４ｂを貫通孔３ｄと止着穴２ｄに挿入し、軸部４ｂ先端の拡径部４ｃを止着穴２ｄの裏側周囲に係合させて（後述の図８（ｂ）参照）、止着部材４を左右２箇所にそれぞれ装着する。これによって、玉箱１は前述した第１状態（図１に示す）に組み立てられ、底板部材３は止着部材４の頭部４ａで両側の突片３ｃを押さえられて上記配置状態に保持され、この第１状態が保持される。
【００１７】
そして、この第１状態にある玉箱１は、左右両側の止着部材４を既述した方法で取り外し、図３及び図４に示すように、底板部材３の上下を裏返し、窪み部３ｂを上方に隆起させた状態（明示部７が形成された窪み部３ｂの裏面が上面側から見える状態）で底板部材３を基体２の底面に配置し、載置部３ａを支持部２ｃの上に載置し、止着穴２ｄと貫通孔３ｄの位置を同軸上に合わせる。その後、第１状態への組立と同様に、止着部材４を左右２箇所にそれぞれ装着する。これによって、玉箱１は第１状態から前述した第２状態（図４に示す）に組み替えられ、底板部材３は第１状態と同様に止着部材４で両側を押さえられて上記配置状態に保持され、この第２状態が保持される。
なお、逆の手順で第２状態から第１状態への組み替えも容易に可能なことはいうまでもなく、このようにして玉箱１は容易に容量変更が何度でも可能である。
【００１８】
以上説明したように本例の玉箱１によれば、底板部材３が、載置部３ａの内側（窪み部３ｂ）を下方に窪ませている第１状態と、載置部３ａの内側を上方に隆起させる第２状態と、に変換されて容量が変更できるので、玉箱の容量を変え得る部材（底板部材３）を玉箱本体（基体２）から取り外すことなく常に一体状態とできる。
また本例の玉箱１によれば、第１の放電部５或いはさらに開口６ｂ（第２の放電部）によって遊技球に帯電する電荷を放出できる。しかも、容量の明示部６と放電部（第２の放電部）とが兼用でき、明示部と別個に放電部を形成する場合に比べて、底板部材３の金型製作が簡素になる。
【００１９】
（第２形態例）
次に、図７，８により第２形態例を説明する。図７は本例の玉箱１０の斜視図、図８（ａ）は玉箱１０の平面図、図８（ｂ）は玉箱１０の断面図（図８（ａ）のＺ−Ｚ断面図）である。図８（ｂ）では、断面のみを示している。
本第２形態例の玉箱１０は、第１形態例における第１の放電部５に遊技球を誘導する誘導樋８を設けたことを特徴とする。第１形態例と同様の構成要素には同符号を使用して説明を省略する。誘導樋８は、図７，８に示すように、基体２の周縁部２ｂにおける左右両辺部（短辺部）の中央付近（即ち止着穴２ｄ付近）から第１の放電部５の凹部５ａまで延びるように形成された遊技球１個分以上に対応する幅の溝であり、前記中央付近から凹部５ａに向かって底面が下り傾斜している。
本例であると、遊技球が誘導樋８の傾斜する底面を転動して第１の放電部５の凹部５ａ内に流入し易い。このため、第１の放電部５の凹部５ａ内に遊技球を確実に落とし込んで、遊技球に帯電する電荷を確実に放出できる。
【００２０】
なお、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【図面の簡単な説明】
【００２１】
【図１】玉箱の斜視図である。
【図２】玉箱の分解斜視図である。
【図３】玉箱の容量変更を説明する分解斜視図である。
【図４】玉箱の容量変更後の状態を示す斜視図である。
【図５】（ａ）は玉箱の平面図、（ｂ）は（ａ）のＸ−Ｘ断面図である。
【図６】（ａ）は容量変更後の玉箱の平面図、（ｂ）は（ａ）のＹ−Ｙ断面図である。
【図７】第２形態例の玉箱の斜視図である。
【図８】（ａ）は第２形態例の玉箱の平面図、（ｂ）は（ａ）のＺ−Ｚ断面図である。
【符号の説明】
【００２２】
１，１０  玉箱
２  基体
２ａ  中央開口
２ｂ  周縁部
２ｃ  支持部
３  底板部材
３ａ  載置部
３ｂ  窪み部
５  第１の放電部
５ｂ  開口
６，７  明示部
６ｂ  開口（第２の放電部）
８  誘導樋
【図１】
2010142329.tif 000003
【図２】
2010142329.tif 000004
【図３】
2010142329.tif 000005
【図４】
2010142329.tif 000006
【図５】
2010142329.tif 000007
【図６】
2010142329.tif 000008
【図７】
2010142329.tif 000009
【図８】
2010142329.tif 000010